(57)【特許請求の範囲】
【請求項１】
送信局から緊急地震情報を受信する受信部と、
設定割当ビット番号と、割当ビット番号と地域名文字データとを対応して記憶する変換テーブルと、前記緊急地震情報に関する防災警報情報を報知するための定型文字データを記憶する定型文字データテーブルとを有する制御記憶部と、
制御部と、
前記受信部から前記緊急地震情報を受信し、前記緊急地震情報内のＡＣ信号情報を前記制御部に送信する信号処理部と、
前記緊急地震情報に従った防災警報処理を実行する出力部と、を備え、
前記出力部は、画像処理部と、表示部とを有し、
前記制御部は、
前記ＡＣ信号情報内にある地震動情報を示すビットの内、前記設定割当ビット番号に該当するビット情報が地震動情報の対象地域であることを示す場合に、第一防災警報処理を前記出力部に実行させ、
前記ＡＣ信号情報内にある地震動情報を示すビットの内、前記設定割当ビット番号に該当するビット情報が地震動情報の対象地域でないことを示し且つ前記設定割当ビット番号以外の他のビット情報が地震動情報の対象地域であることを示す場合に、第二防災警報処理を前記出力部に実行させ、
前記制御部は、
前記ＡＣ信号情報内にある地震動情報を示すビットの内、地震動情報の対象地域であることを示すビットのビット番号に対応する前記地域名文字データを、前記変換テーブルから取得し、
前記定型文字データを前記定型文字データテーブルから取得し、
前記地域名文字データ及び前記定型文字データを前記画像処理部へ送信し、
前記画像処理部は、
前記第二防災警報処理として、前記地域名文字データ及び前記定型文字データを前記表示部により表示させ、
前記第一防災警報処理として、前記制御部が前記表示部の一部又は全体を所定のタイミングで点滅させた後に、前記地域名文字データ及び前記定型文字データを表示させる、
ことを特徴とする緊急災害情報受信機。
【請求項２】
前記出力部は、音声処理部と、音声出力部と、を有し、
前記制御記憶部は、割当ビット番号と地域名音声データとを対応して記憶する変換テーブルと、前記緊急地震情報に関する防災警報情報を報知するための定型音声データを記憶する定型音声データテーブルとを有し、
前記制御部は、
前記ＡＣ信号情報内にある地震動情報を示すビットの内、地震動情報の対象地域であることを示すビットのビット番号に対応する前記地域名音声データを前記変換テーブルから取得し、
前記定型音声データを前記定型音声データテーブルから取得し、
前記地域名音声データ及び前記定型音声データを前記音声処理部に送信し、
前記音声処理部は、前記第一防災警報処理又は前記第二防災警報処理として、前記地域名音声データ及び前記定型音声データを前記音声出力部から音声出力させる、
ことを特徴とする請求項１に記載の緊急災害情報受信機。
【請求項３】
前記出力部は、外部機器を制御する制御信号出力部を有し、
前記制御部は、前記第一防災警報処理又は前記第二防災警報処理として、前記制御信号出力部から制御信号を出力して外部機器を制御する、
ことを特徴とする請求項１又は請求項２に記載の緊急災害情報受信機。
【請求項４】
前記緊急地震情報は、映像情報を有し、
前記信号処理部は、前記受信部から受信した前記映像情報を前記制御部へ送信し、
前記制御部は、受信した前記映像情報を前記画像処理部へ転送して前記表示部に表示させる、
ことを特徴とする請求項１に記載の緊急災害情報受信機。
【請求項５】
前記緊急地震情報は、緊急地震音声情報を有し、
前記信号処理部は、前記緊急地震情報から受信した前記緊急地震音声情報を前記音声処理部へ送信し、
前記制御部は、前記信号処理部からの指示を受けて前記音声処理部に対し前記緊急地震音声情報の音声出力指示を送信し、
前記音声処理部は、前記第一防災警報処理又は前記第二防災警報処理として前記緊急地震音声情報を前記音声出力部から音声出力させる、
ことを特徴とする請求項２に記載の緊急災害情報受信機。
【請求項６】
前記第一防災警報処理の際は最大音量で音声出力され、前記第二防災警報処理の際は予め設定された音量で音声出力されることを特徴とする請求項２又は請求項５に記載の緊急災害情報受信機。
【発明の詳細な説明】
【技術分野】
【０００１】
本発明は、緊急災害情報受信機に係り、特に、緊急地震速報を受信して報知する緊急災害情報受信機に関する。
【背景技術】
【０００２】
地震などの緊急を要する災害が発生した場合、送信局から送信された災害情報を受信して報知させる緊急災害情報受信機が提示されている。例えば、待機時にラジオの音声の中から緊急地震速報のチャイム音を検出し、検出した時にスピーカーからラジオの音声を出力する防災行政ラジオ（ラジオ付き防災行政無線受信機）や緊急告知受信機が提案されている。
【０００３】
また、特許文献１には、ラジオ放送における緊急地震速報を受信した時や防災行政無線放送を受信したときに、これらの放送内容をスピーカーから発音する防災無線受信機が開示されている。この防災無線受信機は、緊急地震速報とともに発信されるチャイム音を検出することにより緊急地震速報が発報されたことを検知する。
【０００４】
一方、地上波テレビジョン放送では、放送中の映像や音声に重ねる形で緊急地震速報を送信している。しかしながら、送信機側の符号化や受信機側の復号化等で遅延が発生し、速報性に課題があった。これを解決するため、付加情報を伝送するためのＡＣ（Ａｕｘｉｌｉａｒｙ  Ｃｈａｎｎｅｌ）信号を利用して緊急地震速報の情報を送信する方式がＡＲＩＢ（ＳＴＤ−Ｂ３１）の規格に追加された。これによると、緊急地震速報は、セグメントＮｏ．０のＡＣ信号（キャリア）を用いて伝送される。
【０００５】
例えば、特許文献２には、放送局からＡＣ信号を利用して緊急地震速報が発報されると、その旨を表示部に表示すると共に、使用者の設定に従い警報音を発生させる緊急災害情報受信装置が開示されている。また、この緊急災害情報受信装置は、緊急地震速報を受信すると、エレベータ等の外部機器を安全に動作させるための制御信号を出力端子から出力すると共に、外部のテレビ受信装置に対し、緊急放送を受信させるための指令信号（電源オン指令、緊急放送選局指令）をリモコン送信部から送信させる。
【先行技術文献】
【特許文献】
【０００６】
【特許文献１】特開２０１４−０８６９２８号公報
【特許文献２】特開２０１３−２１１７５４号公報
【発明の概要】
【発明が解決しようとする課題】
【０００７】
しかしながら、特許文献１に記載の防災無線受信機のように、ラジオ放送の音声の中から緊急地震速報のチャイム音を検出する方式では、アナログの音声を解析するため、緊急地震速報とは関係ない音声でも特定の周波数の音の変化がチャイム音と似ていた場合に誤検知してしまうことがあった。また、全国規模の放送では、住んでいる場所とは関係ない地域に関する緊急地震速報も検出（例えば、東京に住んでいても北海道に向けた緊急地震速報も検出）してしまい、聞いている人に対し自身の地域に関する緊急地震速報であるのか混乱させてしまうこともある。そして、このような事が続くと、本当に関係のある緊急地震速報に対する注意力を低下させてしまうおそれが生じる。
【０００８】
また、送信局側からの緊急地震速報に関する映像情報や音声情報がＡＣ信号の後にすぐに送信されてこない場合、特許文献２のＡＣ信号を利用した緊急災害情報受信装置では速報性に課題があった。
【０００９】
本発明は、以上の点に鑑み、該当地域の住民等に対して確実迅速な警報の報知が可能な緊急災害情報受信機を提供することを目的とする。
【課題を解決するための手段】
【００１０】
本発明の緊急災害情報受信機は、送信局から緊急地震情報を受信する受信部と、設定割当ビット番号を有する制御記憶部と、制御部と、前記受信部から前記緊急地震情報を受信し、前記緊急地震情報内のＡＣ信号情報を前記制御部に送信する信号処理部と、前記緊急地震情報に従った防災警報処理を実行する出力部と、を備え、前記制御部は、前記ＡＣ信号情報内にある地震動情報を示すビットの内、前記設定割当ビット番号に該当するビット情報が地震動情報の対象地域であることを示す場合に、第一防災警報処理を前記出力部に実行させ、前記ＡＣ信号情報内にある地震動情報を示すビットの内、前記設定割当ビット番号に該当するビット情報が地震動情報の対象地域でないことを示し且つ前記設定割当ビット番号以外の他のビット情報が地震動情報の対象地域であることを示す場合に、第二防災警報処理を前記出力部に実行させる、ことを特徴とする。
【００１１】
また、前記出力部は、画像処理部と、表示部とを有し、前記制御記憶部は、割当ビット番号と地域名文字データとを対応して記憶する変換テーブルと、前記緊急地震情報に関する防災警報情報を報知するための定型文字データを記憶する定型文字データテーブルとを有し、前記制御部は、前記ＡＣ信号情報内にある地震動情報を示すビットの内、地震動情報の対象地域であることを示すビットのビット番号に対応する前記地域名文字データを、前記変換テーブルから取得し、前記定型文字データを前記定型文字データテーブルから取得し、前記地域名文字データ及び前記定型文字データを前記画像処理部へ送信し、前記画像処理部は、前記第一防災警報処理又は前記第二防災警報処理として、前記地域名文字データ及び前記定型文字データを前記表示部により表示させる、ことを特徴とする。
【００１２】
また、前記出力部は、音声処理部と、音声出力部と、を有し、前記制御記憶部は、割当ビット番号と地域名音声データとを対応して記憶する変換テーブルと、前記緊急地震情報に関する防災警報情報を報知するための定型音声データを記憶する定型音声データテーブルとを有し、前記制御部は、前記ＡＣ信号情報内にある地震動情報を示すビットの内、地震動情報の対象地域であることを示すビットのビット番号に対応する前記地域名音声データを前記変換テーブルから取得し、前記定型音声データを前記定型音声データテーブルから取得し、前記地域名音声データ及び前記定型音声データを前記音声処理部に送信し、前記音声処理部は、前記第一防災警報処理又は前記第二防災警報処理として、前記地域名音声データ及び前記定型音声データを前記音声出力部から音声出力させる、ことを特徴とする。
【００１３】
また、前記出力部は、外部機器を制御する制御信号出力部を有し、前記制御部は、前記第一防災警報処理又は前記第二防災警報処理として、前記制御信号出力部から制御信号を出力して外部機器を制御する、ことを特徴とする。
【００１４】
また、前記緊急地震情報は、映像情報を有し、前記信号処理部は、前記受信部から受信した前記映像情報を前記制御部へ送信し、前記制御部は、受信した前記映像情報を前記画像処理部へ転送して前記表示部に表示させる、ことを特徴とする。
【００１５】
また、前記緊急地震情報は、緊急地震音声情報を有し、前記信号処理部は、前記緊急地震情報から受信した前記緊急地震音声情報を前記音声処理部へ送信し、前記制御部は、前記信号処理部からの指示を受けて前記音声処理部に対し前記緊急地震音声情報の音声出力指示を送信し、前記音声処理部は、前記第一防災警報処理又は前記第二防災警報処理として前記緊急地震音声情報を前記音声出力部から音声出力させる、ことを特徴とする。
【００１６】
また、前記制御部は、前記第一防災警報処理として、前記表示部の一部又は全体を所定のタイミングで点滅させた後に表示させることを特徴とする。
【００１７】
また、前記第一防災警報処理の際は最大音量で音声出力され、前記第二防災警報処理の際は予め設定された音量で音声出力されることを特徴とする。
【発明の効果】
【００１８】
本発明によると、割当ビット番号が予め設定される緊急災害情報受信機により緊急地震速報を受信可能とするため、チャイム音によらずに報知対象の地域判定を行うことができ、誤報知を少なくして該当地域の住民等に確実迅速に警報を報知することのできる緊急災害情報受信機を提供することができる。
【００１９】
また、画像処理部と表示部を有する緊急災害情報受信機は、音声による防災警報情報の報知が困難であり、緊急地震速報に関する映像情報が送信局からすぐに送信されない場合であっても、視覚情報により緊急地震情報を報知することができる。
【００２０】
また、音声処理部と音声出力部を有する緊急災害情報受信機は、送信局から地震動情報を含むＡＣ信号情報を受信した場合、緊急地震音声情報がすぐに送信されない場合であっても、緊急地震情報に関する防災警報情報を音声出力することができる。
【００２１】
また、制御出力部を有する緊急災害情報受信機は、防災行政無線又は緊急地震速報の内容に応じて緊急災害情報受信機に接続される外部機器を制御することができる。
【００２２】
また、映像情報を有する緊急地震情報を受信して画像処理部へ転送する緊急災害情報受信機は、緊急地震速報に関する防災警報情報を、視覚情報により報知することができる。
【００２３】
また、緊急地震音声情報を有する緊急地震情報を受信して音声処理部へ送信する緊急災害情報受信機は、緊急地震速報に関する防災警報情報を、音声により報知することができる。
【００２４】
また、表示部の一部又は全部を所定のタイミングで点滅させた後に表示を行う緊急災害情報受信機は、防災警報情報が出力された際、表示される詳細な情報を確認することなく、警報の重要度を報知させることができる。
【００２５】
また、最大音量の音声出力又は設定された音量で音声出力を行う緊急災害情報受信機は、防災警報情報が出力された際、緊急災害情報受信機から離れた場所にいて、視覚情報による防災警報情報の報知が困難な場合であっても、音声により警報の重要度を報知させることができる。
【図面の簡単な説明】
【００２６】
【図１】本発明の実施形態に係る緊急災害情報受信機の外観図である。
【図２】本発明の実施形態に係る緊急災害情報受信機の構成図である。
【図３】本発明の実施形態に係る制御記憶部の構成図である。
【図４】本発明の実施形態に係る変換テーブルの構成図である。
【図５】本発明の実施形態に係る緊急地震情報の構成図である。
【図６】本発明の実施形態に係るＴＳ信号情報の構成図である。
【図７】本発明の実施形態に係るＡＣ信号情報の構成図である。
【図８】本発明の実施形態に係る信号処理部のフローチャート説明図である。
【図９】本発明の実施形態に係る制御部のフローチャート説明図である。
【発明を実施するための形態】
【００２７】
［第一実施形態］
今日、地上波テレビジョン放送ではＡＣ信号と呼ばれる付加情報信号を伝送するための信号に緊急地震速報の情報を載せて送信している。本実施形態の緊急災害情報受信機は、ワンセグ受信部（チューナー）でワンセグ放送を受信してＡＣ信号を監視し、緊急地震速報の情報が検出された時はワンセグ音声及び／又は文字情報を出力する緊急地震速報検知機能を持つ。
【００２８】
図１は、緊急災害情報受信機１００の外観図である。緊急災害情報受信機１００は本体正面に、表示部１０１、音声出力部１０２、入力部１０３を備える。入力部１０３は、設定ボタン１０４、操作ボタン１０５，１０６、決定ボタン１０７を備える。また、緊急災害情報受信機１００は本体右側面に、音量ダイヤル１０８を備える。
【００２９】
本体正面において、表示部１０１は、ＬＣＤやＶＦＤ等の受信機内に配置された文字表示部である。音声出力部１０２は、本実施形態では本体正面の左側に配置されており、スピーカーとして警報音を出力する。操作ボタン１０５，１０６は、緊急災害情報受信機１００の設定時に選局や地域設定等を行うための−（戻り）ボタンや＋（送り）ボタンとして機能する。
【００３０】
本体右側面において、音量ダイヤル１０８は、警報音量等の設定を行うためのダイヤルである。本実施形態では、音量ダイヤル１０８の位置は、本体右側面に一部を突出させるようにして裏面側に配置されている。
【００３１】
図２は、緊急災害情報受信機１００の構成図である。緊急災害情報受信機１００は、アンテナ２０１、ワンセグ受信部２０２、信号処理部２０３、信号処理記憶部２０４、マイコン２０５、出力部２０９を備える。マイコン２０５は、制御部２０７及び制御記憶部２０８を有する。出力部２０９は、音声処理部２０６、画像処理部２１０、音声出力部１０２、表示部１０１を有する。
【００３２】
アンテナ２０１から入力されたワンセグ放送信号は、モジュール等で構成されるワンセグ受信部（ワンセグチューナー）２０２において復号化等の処理が行われ、映像情報と音声情報とＡＣ信号情報を含む情報がＴＳ（Ｔｒａｎｓｐｏｒｔ  Ｓｔｒｅａｍ）信号情報として信号処理部２０３へ出力される。
【００３３】
信号処理部２０３では、ＴＳ信号情報の中から音声情報を取り出して音声処理部２０６へ出力するとともに、ＡＣ信号の地域情報や画像情報等の情報を取り出して制御部２０７へ出力する。
【００３４】
制御部２０７はワンセグ受信部２０２の初期化等の制御を行う。また、信号処理部２０３からのＡＣ信号の情報が、自身（緊急災害情報受信機１００）の地域が対象となる緊急地震速報である場合、制御部２０７は、画像処理部２１０に文字情報（例えば、緊急地震速報  埼玉県）を出力して表示部１０１に文字表示を行わせ、合わせて音声処理部２０６を介して音声出力部１０２から音声を出力させるように制御する。
【００３５】
音声処理部２０６は、入力された音声信号の復号化等を行い、制御部２０７からの制御によって音声出力部１０２から音声を出力させる。
【００３６】
図３は、制御記憶部２０８の構成図である。制御記憶部２０８は、変換テーブル３０１、定型文字データテーブル３０２、定型音声データテーブル３０３、設定地域割当ビット番号テーブル３０４を有する。
【００３７】
変換テーブル３０１は、緊急地震速報に含まれる地域毎に割り当てられたビット番号を地域名に関するデータに変換するために用いられる。定型文字データテーブル３０２には、緊急地震速報の警報内容を文字出力するための定型文字データが予め登録されている。定型音声データテーブル３０３には、緊急地震情報の警報内容を音声出力するための定型音声データが予め登録されている。
【００３８】
定型文字データテーブル３０２及び定型音声データテーブル３０３には、ユーザーにより予め任意のデータをひとつ又は複数登録しておくことができる。また、定型音声データテーブル３０３には、ユーザーにより録音した音声を登録してもよい。設定地域割当ビット番号テーブル３０４には、緊急災害情報受信機１００の設置されている地域に対応した番号が登録されており、自身が報知対象地域に該当するかの判定に用いられる。
【００３９】
図４は、変換テーブル３０１の構成図である。変換テーブル３０１は、割当ビット番号４０１に対し、地域名文字データ４０２、地域名音声データ４０３を記憶する。
【００４０】
割当ビット番号４０１は、地震動情報の対象地域毎に割り当てられているビット番号である。地域名データ（地域名文字データ４０２、地域名音声データ４０３）について、例えば、データ列４１１〜４１４のように、ひとつの都道府県を複数の地域に分割させた地域名データとして割り当ててもよいし、データ列４１５のように、ひとつの割当ビット番号４０１に対しひとつの都道府県名を地域名データとして割り当ててもよい。
【００４１】
なお、緊急災害情報受信機１００が設置されている地域に対応する割当ビット番号４０１は、マイコン２０５内の制御記憶部２０８にある設定地域割当ビット番号テーブル３０４に予め記憶してあり、緊急地震速報の対象地域の判定に利用することができる。
【００４２】
図５は、アンテナ２０１を介してワンセグ受信部２０２が受信する、緊急地震情報５００の構成図である。緊急地震情報５００は、映像情報５０１、ワンセグ音声情報５０２、ＡＣ信号情報５０３を有する。気象庁は、所定の最大震度以上の地震発生予測地域がある場合に、緊急地震速報に関する情報を発表する。テレビ等の送信局は、この情報を基に緊急地震情報５００を、ワンセグ放送信号のセグメント内に含めて送信する。
【００４３】
セグメント内のＡＣキャリアには、所定の震度以上が予測される地域の情報が、ＡＣ信号情報５０３として含まれている。詳細は図７で後述する。
【００４４】
図６は、ＴＳ信号情報６００の構成図である。ＴＳ信号情報６００は、ヘッダ部にシンクバイト６０１、インジケータ６０２、レングス６０３を有する。また、ＴＳ信号情報６００は、データ部にＡＣ信号情報６０４を有する。ワンセグ受信部２０２は、緊急地震情報５００のＡＣ信号情報５０３を、ＴＳ信号情報６００のＡＣ信号情報６０４に含め、信号処理部２０３に送信する。本図では、ＴＳ信号情報６００のデータ部にＡＣ信号情報５０３を含めた例を示しているが、データ部として映像情報５０１又はワンセグ音声情報５０２を含めてもよい。この場合、ワンセグ受信部２０２は、映像情報５０１又はワンセグ音声情報５０２を、他のＴＳ信号情報６００のＡＣ信号情報５０３と紐付けて、信号処理部２０３に送信することができる。
【００４５】
図７は、ＡＣ信号情報５０３，６０４の構成図である。ＡＣ信号情報５０３，６０４は、構成識別７０１、開始／終了フラグ７０２、信号識別７０３、現在時刻７０４、ページ種別７０５、地震動情報７０６を有する。なお、ＡＣ信号情報５０３，６０４に含まれる情報は、ＡＲＩＢ  ＳＴＤ−Ｂ３１に規定されており、これら以外の情報も適宜含めることができる。
【００４６】
以下、ＡＲＩＢ  ＳＴＤ−Ｂ３１の形式に従って、ＡＣ信号情報が有する各情報について説明する。構成識別７０１は、ＡＣ信号情報が地震動警報情報の伝送であるかを示す情報である。ＡＣ信号情報自体は、地震動警報以外に、付加情報の伝達にも用いられているため、この構成識別７０１によりＡＣ信号情報が地震に関する情報であるか判定される。開始／終了フラグ７０２は、地震動警報情報の送出の開始又は終了を表す情報である。信号識別７０３は、地震動警報詳細情報の種別を表す情報である。現在時刻７０４は、地震動警報情報を送出される現在時刻情報である。また、地震動情報７０６は、ページ種別７０５が「０」の場合に伝送される、所定の震度以上の地震が予測される地域である、地震動警報の対象地域を示す情報である。なお、本実施形態では、ページ種別７０５が「０」である場合について説明する。
【００４７】
地震動警報の対象地域を示す地震動情報７０６は、ＡＣ信号情報５０３，６０４の５６番目から１１１番目のビットに割り当てられ、１ビット毎に１地域の情報が割り当てられる。そして、ビット値が「１」の場合は地震動警報の対象地域を含まない地域であり、ビット値が「０」の場合は、地震動警報の対象地域を含む地域を示す。例えば、「Ｂ６９」（以下、Ｂはビット値、添え字はビット番号を表す）が「０」の場合、埼玉県が地震動警報の対象地域に含まれることを表す。
【００４８】
つぎに、電源投入時の処理について説明する。電源が投入されると、制御部２０７は、ワンセグ受信部２０２の初期設定、信号処理部２０３の初期設定、表示部１０１の初期設定等を行う。その後、ユーザーが操作ボタン（選局ボタン）１０５，１０６等によりワンセグ受信チャンネルや設置する地域を設定する。
【００４９】
具体的には、ユーザーは表示部１０１に表示される地域名文字データ４０２に従い、緊急災害情報受信機１００の設置される地域名を入力部１０３から入力する。地域名として、例えば都道府県名が入力される。制御部２０７は、変換テーブル３０１を参照し、入力された地域名に対応する割当ビット番号４０１を求め、求めた割当ビット番号４０１を制御記憶部２０８内の設定地域割当ビット番号テーブル３０４に記憶する。
【００５０】
ユーザーが入力部１０３を操作して、受信するワンセグ放送の放送局（例えば、電波状態の良い放送局や、地域に対応した放送局）を選局することにより、ワンセグ受信チャンネルが決定される。制御部２０７は、決定された受信チャンネルをチューニングするようにＩ２Ｃ（Ｉｎｔｅｒ  Ｉｎｔｅｇｒａｔｅｄ  Ｃｉｒｃｕｉｔ）を通してワンセグ受信部２０２に指示する。その後、ユーザーによる設定完了操作により、待機状態（スピーカー出力や文字表示のオフ状態）に入る。
【００５１】
つぎに、信号処理部２０３の処理について説明する。図８は、信号処理部２０３のフローチャート説明図である。処理が開始されると、信号処理部２０３は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を通して、制御部２０７からの指示を受けて初期設定を行い、ワンセグ受信部２０２のＡＣ信号を用いた緊急地震速報の検出に必要なＴＳ信号の処理を開始する。
【００５２】
ステップＳ１００で、信号処理部２０３は、ワンセグ受信部２０２から出力されたＴＳ信号情報６００にＡＣ信号情報が含まれていることを表すＡＣヘッダが送られていないか判定を行う。例えば、ＡＣヘッダはシンクバイト６０１に１バイト、インジケータ６０２に１バイト、レングス６０３に２バイトの情報を有する。シンクバイト６０１は、０ｘＢ０（１６進数のＢ０）ならＡＣ信号情報、０ｘ４７ならそれ以外の映像や音声の情報を表す。インジケータ６０２は、０ｘ８０ならスタートパケット、０ｘ２０ならエンドパケット、０ｘ４０なら中間パケットを表す。レングス６０３は、残りのバイト数を１６進数で表す。１パケットは、ヘッダ部とデータ部を合わせて１８８バイトから成り、１８８バイトに満たない部分は１８８バイトになるまで０ｘ００が連続で送信されてくる。
【００５３】
信号処理部２０３は、シンクバイト６０１が０ｘＢ０であることにより、ヘッダ部をＡＣヘッダとして検出した場合は、ステップＳ１１０の処理に進み、検出されない場合はステップＳ１００の処理を繰り返す。
【００５４】
ステップＳ１１０で、信号処理部２０３は、ＴＳ信号情報６００のＡＣヘッダに続くデータ（ＡＣ信号情報６０４）を取り込み、信号処理部２０３内のＦＩＦＯメモリ等の信号処理記憶部２０４に記憶する。
【００５５】
ステップＳ１２０で、信号処理部２０３は、ＡＣ信号情報６０４の最終バイトを取り込んだか判定を行う。信号処理部２０３は、最終バイトを取り込んでいればステップＳ１３０の処理に進み、取り込んでいなければステップＳ１１０の処理に戻る。本実施形態では、データの１８４バイト目が最終バイトとなり、レングス６０３の２バイトで表されるバイト数のデータが、ＡＣ信号情報６０４として有効なデータとなる。
【００５６】
ステップＳ１３０で、信号処理部２０３は、ＴＳ信号情報６００のヘッダを除いた残りのデータを制御部２０７へ送るための形式へフォーマット変換する。ワンセグ受信部２０２からのＡＣ信号情報６０４の１ビットのデータが１バイトのデータに（２進数の０ｂ１なら１６進数の０ｘＦＦに、０ｂ０なら０ｘ００に）変換されて送られてくる場合、信号処理部２０３は、データを１バイトから１ビットに（１６進数の０ｘＦＦなら２進数の０ｂ１に、０ｘ００なら０ｂ０に）フォーマット変換する。１バイト毎にフォーマット変換されたデータは信号処理記憶部２０４から消去される。
【００５７】
ステップＳ１４０で、信号処理部２０３は、フォーマット変換されたＡＣ信号情報６０４のデータを８ビット毎にＵＡＲＴ１から制御部２０７に向けて出力する。データ出力が終わるとステップＳ１００のＡＣヘッダの検出処理に戻る。
【００５８】
なお、ここではＵＡＲＴ１としたが、代わりに８ビットのパラレル通信等の別の通信方式を用いることも可能である。
【００５９】
図９は、制御部２０７のフローチャート説明図である。制御部２０７は、本フローに従い緊急地震速報の警報内容（防災警報情報）を出力する。制御部２０７は、ユーザーによる設定完了操作により、待機状態（スピーカー出力や文字表示のオフ状態）に入ると、信号処理部２０３が送信する信号の検出処理を開始する。
【００６０】
ステップＳ２００で、制御部２０７は、ＵＡＲＴ１を通して信号処理部２０３からＡＣ信号情報６０４を受信したか判定を行う。ＡＣ信号情報６０４が受信された場合はステップＳ２１０に進み、受信されない場合はステップＳ２００の処理を繰り返す。
【００６１】
ステップＳ２１０で、制御部２０７は、ＵＡＲＴ１から受信されたＡＣ信号情報６０４を取り込み、マイコン２０５内部の制御記憶部２０８に保存する。
【００６２】
ステップＳ２２０で、制御部２０７は、ＡＣ信号情報６０４の最終バイトを取り込んだか判定を行う。最終バイトを取り込んでいればステップＳ２３０に進み、取り込んでいなければステップＳ２１０の処理に戻る。最終バイトの判定は、予めパケットのデータ量を決めておいて受信バイト数が予め定められたパケットのデータ量と一致するか判定する方法や、信号処理部２０３から送信するデータの先頭に送信バイト数が分かるヘッダを付けておき受信バイト数がヘッダにある送信バイト数と一致するか判定する方法等により行われる。
【００６３】
ステップＳ２３０で、制御部２０７は、受信したＡＣ信号情報６０４が緊急地震速報か判定を行い、緊急地震速報の場合はステップＳ２４０の処理に進み、緊急地震速報ではない場合はステップＳ２００の判定処理に戻る。
【００６４】
緊急地震速報の判定方法について、ＡＲＩＢ  ＳＴＤ−Ｂ３１の形式のデータでは、制御部２０７は、Ｂ０からＢ２０３の２０４ビットのデータの内、Ｂ１からＢ３（構成識別７０１）が２進数で０ｂ００１または０ｂ１１０の場合に緊急地震速報と判定し、それ以外は緊急地震速報ではないと判定すると規定されている。
【００６５】
ステップＳ２４０で、制御部２０７は、さらに緊急地震速報の対象地域の中に予め設定されている自身（緊急災害情報受信機１００）の地域が含まれているか判定を行い、自身（緊急災害情報受信機１００）の地域が含まれている場合はステップＳ２５０の処理（第一防災警報処理）に進み、含まれていない場合はステップＳ２６０の処理（第二防災警報処理）に進む。
【００６６】
緊急地震速報の対象地域の判定方法について、ＡＲＩＢ  ＳＴＤ−Ｂ３１の形式のデータでは、Ｂ５６からＢ１１１（地震動情報７０６）のデータ上、１ビットに対し各々１地域が割り当てられており、ビット値が「０」なら対象地域に該当し、「１」なら対象地域に該当しないと規定されている。制御部２０７は、予め設定されている自身（緊急災害情報受信機１００）の設置地域情報に該当するビットの値を見て、「０」なら対象地域に含まれ、「１」なら対象地域に含まれないと判定する。
【００６７】
具体例を図４を参照して説明する。例えば、初期設定時にユーザーに設定してもらった地域が埼玉県の場合、設定地域割当ビット番号テーブル３０４には、「埼玉県」に対応する割当ビット番号４０１である「６９」が予め登録されている。制御部２０７は、設定地域割当ビット番号テーブル３０４を参照し、登録されているデータが「６９」であるため、地震動情報７０６のＢ６９のデータを確認する。制御部２０７は、Ｂ６９のデータが「０」なら対象地域であると判定し、Ｂ６９のデータが「１」なら対象地域に含まれないと判定する。
【００６８】
図９に戻り、ステップＳ２５０で、制御部２０７は、緊急地震速報の警報内容を出力する。例えば、文字表示出力の場合、制御部２０７は、制御記憶部２０８の定型文字データテーブル３０２から警報であることを示す定型文字データ「緊急地震速報」を取得する。また、制御部２０７は、変換テーブル３０１を参照し、データ列４１５で設定地域割当ビット番号テーブル３０４のデータ「６９」に対応する地域名文字データ４０２「埼玉県」を取得する。そして、制御部２０７は、ＵＡＲＴ（ブロック図のＵＡＲＴ２）を通して画像処理部２１０に「緊急地震速報」と「埼玉県」の文字データ及び表示出力指示を送信する。画像処理部２１０は、制御部２０７から受信したこれらの文字データを、表示部１０１に表示させる。これにより、例えば、「緊急地震速報  埼玉県」の文字をスクロール表示させることができる。
【００６９】
また、ステップＳ２５０において、地震動情報の対象地域で自身（緊急災害情報受信機１００）の地域と異なるひとつ又は複数の地域名を参考的な情報として併せて表示部１０１に表示又は音声出力部１０２に出力させるようにしてもよい。
【００７０】
ステップＳ２６０で、制御部２０７は、自身（緊急災害情報受信機１００）の設置されている地域と異なる地域の緊急地震速報に関する情報を報知する。例えば、文字表示出力の場合、制御部２０７は、自身（緊急災害情報受信機１００）の地域と異なる地域に割当てられたビットのうち、地震動情報の対象地域であることを示すビットを特定し、その特定されたビットに対応するひとつ又は複数の地域名文字データ４０２を変換テーブル３０１より取得する。また、制御部２０７は、制御記憶部２０８の定型文字データテーブル３０２より警報であることを示す定型文字データを取得する。制御部２０７は、取得した地域名文字データと定型文字データ及び画像出力指示を画像処理部２１０へ送信する。そして、画像処理部２１０は、地域名文字データ及び定型文字データを表示部１０１より連続して表示することができる。
【００７１】
なお、ステップＳ２５０及びステップＳ２６０において、文字表示出力又は音声出力のいずれの方法により出力させるかは、予め任意に定めることができる。また、初期設定時に、設定地域割当ビット番号テーブル３０４内の番号が示す自身（緊急災害情報受信機１００）の地域が緊急地震速報の地震動情報の対象地域に含まれない場合に、警報出力「する」又は「しない」の選択ができるようにする事も可能である。ユーザーが、自身（緊急災害情報受信機１００）の設定地域コードが地震動情報の対象地域に該当しないときに警報出力「しない」方を選択した場合、ステップＳ２６０の処理を省略し、自身（緊急災害情報受信機１００）が対象地域に含まれない緊急地震速報を出力せずに待機状態に戻って待機状態を維持することができる。
【００７２】
一定時間経過後、警報出力が終わったら、処理は待機状態（音声出力や文字表示のオフ状態）に入り、ステップＳ２００の判定に戻る。
【００７３】
なお、ステップＳ２５０で、制御部２０７は、対象地域に含まれると判断した場合、表示部１０１の一部又は全体をフラッシュ点滅（全点灯と全消灯を短時間に繰り返す）させた後で文字の表示を行うことができる（第一出力動作）。また、制御部２０７は、対象地域に含まれない場合は、ステップＳ２６０において表示部１０１をフラッシュ点滅させずにそのまま文字の表示を行い（第二出力動作）、第一出力動作よりも報知レベルを下げることができる。これにより、緊急度により報知レベルを変えて二段階の出力動作で警報出力することができる。
【００７４】
また、初期設定時に、設定地域割当ビット番号テーブル３０４内の番号が示す自身（緊急災害情報受信機１００）の地域が緊急地震速報の地震動情報の対象地域に含まれないときに、警報出力「する」が設定された場合、制御部２０７は、設定地域割当ビット番号テーブル３０４内の番号が示す自身（緊急災害情報受信機１００）の地域が地震動情報の対象地域に含まれる場合はボリューム設定にかかわらず最大音量で音声を出力し（第一出力動作）、対象地域に含まれない場合はボリューム設定通りの通常音量で音声を出力する（第二出力動作）ことができる。これにより、緊急度により報知レベルを変えて二段階の出力動作で警報出力することができる。
【００７５】
つぎに、緊急地震速報の警報内容の他の出力方法について説明する。緊急災害情報受信機１００は、緊急地震速報の警報内容を装置に固定された音声で出力することができる。
【００７６】
固定音声出力の場合、ステップＳ２５０において、制御部２０７は、制御記憶部２０８の定型音声データテーブル３０３から警報であることを示す定型音声データを取得する。また、制御部２０７は、変換テーブル３０１を参照し、データ列４１５で設定地域割当ビット番号テーブル３０４のデータ「６９」に対応する「埼玉県」を示す地域名音声データ４０３を取得する。そして、制御部２０７は、定型音声データ及び地域名音声データを音声出力指示と共に音声処理部２０６へ送信する。音声処理部２０６は、制御部２０７から受信したこれらの音声データを、音声出力部１０２に出力させる。これにより、緊急地震情報の受信の際、音声信号が送信局から遅れて送信されてくる場合や音声信号の復調や復号に時間を要する場合であっても、防災警報情報を確実に音声出力させることができる。
【００７７】
また、ステップＳ２６０において、制御部２０７は、制御記憶部２０８の定型音声データテーブル３０３から警報であることを示す定型音声データを取得する。制御部２０７は、自身（緊急災害情報受信機１００）の地域と異なる地域のうち、地震動情報の対象地域となる地域の地域名音声データ４０３を取得し、定型音声データと地域名音声データ及び音声出力指示を、音声処理部２０６へ送信する。そして、音声処理部２０６は、音声出力部１０２により警報を報知するための音声を出力する。
【００７８】
つぎに、緊急地震速報の警報内容の他の出力方法について説明する。緊急災害情報受信機１００は、緊急地震速報の警報内容を音声出力することができる。
【００７９】
例えば、ワンセグ受信部２０２は、ＡＣ信号情報５０３を信号処理部２０３に送信する際、ワンセグ音声情報５０２をＡＣ信号情報５０３と紐づけて送信する。信号処理部２０３は、ワンセグ音声情報５０２を信号処理記憶部２０４に記憶する。制御部２０７は、ステップＳ２４０で自身（緊急災害情報受信機１００）の設置地域情報が地震動情報の対象地域であると判定すると、ステップＳ２５０で、ワンセグ音声を再生するように信号処理部２０３及び音声処理部２０６に指示を出す。信号処理部２０３は、ワンセグ音声情報５０２を音声処理部２０６に送信する。これにより、音声出力部１０２からワンセグ音声を出力させたり、警報の出力を操作することができる。
【００８０】
つぎに、緊急地震速報の警報内容の他の出力方法について説明する。緊急災害情報受信機１００は、緊急地震速報に含まれる映像情報を表示することができる。
【００８１】
例えば、ワンセグ受信部２０２は、映像情報５０１をＴＳ信号情報６００のデータとして含め、ＡＣ信号情報６０４と紐づけて送信する。ステップＳ１００で、信号処理部２０３は、ＴＳ信号情報６００にＡＣヘッダが検出されない場合であっても、他のＡＣ信号情報６０４と紐づいた映像情報５０１を受信したと判断した場合は、ステップＳ１１０へ進む。信号処理部２０３は、ステップＳ１１０で映像情報５０１を取り込み、ステップＳ１４０で制御部２０７へ送信する。制御部２０７は、ステップＳ２００で、ＡＣ信号情報と紐づいた映像情報５０１を受信したと判定すると、ステップＳ２１０でデータを取り込む。制御部２０７は、ステップＳ２３０及びステップＳ２４０でＡＣ信号情報を用いた判定結果に従い、ステップＳ２５０又はステップＳ２６０へ進む。ステップＳ２５０で、制御部２０７は、映像情報５０１を出力指示とともに画像処理部２１０へ送信する。画像処理部２１０は、表示部１０１より映像情報５０１を表示する。また、ステップＳ２６０で、制御部２０７は、映像情報５０１を出力指示とともに画像処理部２１０へ送信する。画像処理部２１０は、表示部１０１より映像情報５０１を表示する。なお、初期設定時に、自身（緊急災害情報受信機１００）の設定地域コードが地震動情報の対象地域に含まれない緊急地震速報の場合に、警報出力「しない」の選択が設定された場合、制御部２０７は、ステップＳ２６０で映像情報の出力を行わないようにしてもよい。
【００８２】
なお、緊急地震情報の受信における、防災警報情報の出力方法は、適宜組み合わせて適用させることができる。
【００８３】
［第二実施形態］
つぎに、緊急災害情報受信機１００の、第二実施形態について説明する。緊急災害情報受信機１００は、音声出力や文字表示と共に又はこれらに換えて、緊急地震速報の情報が検出されたときに外部機器を制御する信号を出力することができる。緊急災害情報受信機１００は、出力部２０９に、リレー等の接点を制御したり音声データや文字データを送信するための制御出力部を有する。制御部２０７は、この制御出力部から制御信号を出力し、外部のオーディオ機器や警報ランプ等を制御することができる。また、緊急災害情報受信機１００は、外部機器として屋内放送機器を用いることができ、この屋内放送機器に、緊急地震速報の内容に応じた防災警報情報を放送させることができる。この場合、緊急災害情報受信機１００はスタート信号のみを送り、屋内放送機器は予め設定された音声データや文字データをスタート信号の種別に応じて出力させるようにしてもよい。例えば、屋内放送機器は、音声データを屋内スピーカーから出力したり、文字データを適宜の表示部に表示する。また、これら以外にも、制御部２０７は制御信号を出力して適宜の外部機器を制御することができる。なお、本実施形態は、第一実施形態と組み合わせて実行することもできる。
【００８４】
以上のように本実施形態によると、ワンセグ放送のＡＣ信号による緊急地震速報は専用の信号であり、人間に向けた報知音であるラジオの緊急地震速報のチャイム音に比べて正確であるため、誤検知の少ない緊急災害情報受信機を構成することができる。また、ＡＣ信号には緊急地震速報の対象となる地域の情報も含まれるため、設置場所が報知対象となる地域に含まれるか判別し、関係のない速報を出力対象から除外する事ができる。また、ワンセグ放送による緊急地震速報は、テレビ放送の映像や音声と比べて遅延の少ないＡＣ信号を利用しているため、テレビに流れる映像や音声よりも早く緊急地震速報を伝える事ができる。
【００８５】
以上、本発明の実施形態を説明したが、本発明は本実施形態によっては限定されることはなく、種々の形態で実施することができる。
【００８６】
例えば本実施形態では、信号処理部２０３及び音声処理部２０６は、マイコン２０５の制御部２０７とは別の処理部として構成したが、ＦＰＧＡ（ｆｉｅｌｄ−ｐｒｏｇｒａｍｍａｂｌｅ  ｇａｔｅ  ａｒｒａｙ）、ＤＳＰ（Ｄｉｇｉｔａｌ  Ｓｉｇｎａｌ  Ｐｒｏｃｅｓｓｏｒ）等の高速処理が可能なデバイスであれば、一つの処理部として構成することができる。
【００８７】
本発明の実施形態における処理は、コンピュータに実現させることのできるプログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施形態で述べた各処理を記憶させ、他のコンピュータ等でプログラムを実行させることにより、本実施形態の装置を用いた場合と同様の作用効果が得られる。なお、コンピュータは、本実施形態で述べた装置に内蔵されたコンピュータに限定されるわけではなく、記憶媒体に記憶されたプログラムを読み取り可能であって、読み取ったプログラムに従って制御動作を行うＣＰＵ等の演算装置を備えているあらゆるコンピュータを含む。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【符号の説明】
【００８９】
１００  緊急災害情報受信機              １０１  表示部
１０２  音声出力部                      １０３  入力部
１０４  設定ボタン                      １０５  操作ボタン
１０６  操作ボタン                      １０７  決定ボタン
１０８  音量ダイヤル                    ２０１  アンテナ
２０２  ワンセグ受信部                  ２０３  信号処理部
２０４  信号処理記憶部                  ２０５  マイコン
２０６  音声処理部                      ２０７  制御部
２０８  制御記憶部                      ２０９  出力部
２１０  画像処理部
３０１  変換テーブル                    ３０２  定型文字データテーブル
３０３  定型音声データテーブル
３０４  設定地域割当ビット番号テーブル
４０１  割当ビット番号                  ４０２  地域名文字データ
４０３  地域名音声データ                ４１１〜４１５  データ列
５００  緊急地震情報                    ５０１  映像情報
５０２  ワンセグ音声情報                ５０３  ＡＣ信号情報
６００  ＴＳ信号情報                    ６０１  シンクバイト
６０２  インジケータ                    ６０３  レングス
６０４  ＡＣ信号情報
７０１  構成識別                        ７０２  開始／終了フラグ
７０３  信号識別                        ７０４  現在時刻
７０５  ページ種別                      ７０６  地震動情報
【図１】
0006427437.tif 000002
【図２】
0006427437.tif 000003
【図３】
0006427437.tif 000004
【図４】
0006427437.tif 000005
【図５】
0006427437.tif 000006
【図６】
0006427437.tif 000007
【図７】
0006427437.tif 000008
【図８】
0006427437.tif 000009
【図９】
0006427437.tif 000010